(57)【要約】【課題】比較的簡単な構造で、シートを簡便かつ容易に装着可能なシート取付部材、シート取付構造及び組立セット並びにシート取付方法を提供する。【解決手段】壁部に取付可能なシート取付部材１は、板状保持部２から下方に延出してスリット状のシート挿入口５を形成する一対の延出部３，４を備えており、第１の延出部３の内壁と、第２の延出部４の湾曲傾斜延出部４２とで、シート挿入口５に向かって狭まる収容部６を形成する。この収容部６内にはコイルバネで形成された棒体８が上下動（又は転動）可能に収容される。シート挿入口５からシート９を挿入すると、棒体８が上昇して、棒体８と第１又は第２の延出部３，４の内壁との隙間に沿ってシート９が進入でき、挿入操作を解除すると、棒体８が下降し、第１又は第２の延出部３，４の内壁と棒体８とでシート９を挟着する。【選択図】図１
2016089338.tif 000002
【特許請求の範囲】
【請求項１】
長尺な板状保持部と、この板状保持部から下方に延出してスリット状のシート挿入口を形成する一対の延出部とを備え、壁部に直接又は間接的に取付可能な長尺なシート取付部材であって、前記一対の延出部の内壁が、前記シート挿入口に向かって狭まる収容部を形成する傾斜内壁を含み、この収容部に棒体を転動及び／又は上下動可能に収容可能なシート取付部材。
【請求項２】
傾斜内壁が、湾曲又は直線的に傾斜し、少なくとも棒体を支持可能に形成されている請求項１に記載のシート取付部材。
【請求項３】
一対の延出部のうち、第２の延出部が、第１の延出部の方向に膨出しつつ湾曲した傾斜内壁を備えている請求項１又は２に記載のシート取付部材。
【請求項４】
シート挿入口から板状保持部の方向にいくにつれて、傾斜内壁の曲率半径が小さく形成されている請求項３に記載のシート取付部材。
【請求項５】
一対の延出部のうち、第１の延出部の先端部から下方に延び、かつシートの挿入を案内するためのガイド部を備えている請求項１〜４のいずれかに記載のシート取付部材。
【請求項６】
棒体の断面形状が、円形状である請求項１〜５のいずれかに記載のシート取付部材。
【請求項７】
棒体が、コイルバネで形成されている請求項１〜６のいずれかに記載のシート取付部材。
【請求項８】
シートの挿入口側の端部に係止部を有する請求項１〜７のいずれかに記載のシート取付部材。
【請求項９】
請求項１〜８のいずれかに記載のシート取付部材と、このシート取付部材の収容部に収容された棒体と、この棒体と延出部の内壁との間に装着されたシートとを備えたシート取付構造。
【請求項１０】
請求項１〜８のいずれかに記載のシート取付部材と、このシート取付部材の収容部に収容可能な棒体と、この棒体と延出部の内壁との間に装着可能なシートとを備えており、シート取付構造を形成可能な組立セット。
【請求項１１】
請求項１〜８のいずれかに記載のシート取付部材を直接又は間接的に壁部に取付け、シート取付部材の収容部に棒体を収容した状態でシート挿入口からシートを挿入し、シートの挿入操作を解除するシートの取付方法。
【発明の詳細な説明】
【技術分野】
【０００１】
本発明は、シートを容易に取付け可能なシート取付部材、このシート取付部材を用いたシート取付構造、このシート取付構造を形成可能な組立セット並びにシート取付方法に関する。
【背景技術】
【０００２】
布帛、防煙シート、広告などを壁部に取付けるためにシート取付部材が用いられている。例えば、のれんなどには布帛、防煙壁には防煙シート、電車内の吊り（又は中吊り）広告には印刷物を装着するためのシート取付部材が利用されている。
【０００３】
特開２００８−２２０４５３号公報（特許文献１）には、天井に配したレールと、このレールに取り付けられたパネルとを備えた防煙垂れ壁が記載されている。前記レールは、下方が開いた略コ字状の断面を有し、内壁の一方の側面に吊下げフック及びその下方に形成されたビート取付用溝を備え、前記パネルは、繊維強化シートを取り付けた枠体と、この枠体の１辺に取り付けられ、前記吊下げフックに係止可能な係止フックを有する取付部材とを備え、この係止フックと前記吊り下げフックとを係止させ、前記レールに前記パネルを取り付けている。また、この文献には、弾性材からなるビートをレールの内壁の両側面と前記パネルとの隙間に装着することも記載されている。しかし、レールにパネル（シート）を装着するためには、繊維強化シートに枠体及び取付部材を取り付ける必要があり、装着が容易でない。また、フックを係止させてレールにパネル（シート）を取り付けるため、シート（パネル）がレールから外れないように、ビートを装着する工程も必要となり手間がかかる。
【０００４】
特開２０１３−８１７４７号公報（特許文献２）には、天井に直接又は間接的に取付可能で、シートの上端部を装着又は収容するためのアリ溝状装着凹部を備えた上部レール部材と、前記シートの上端部が前記アリ溝状装着凹部に装着又は収容された状態で、前記アリ溝状装着凹部に、前記シートの抜けを防止するための抜け止め部材が装着されている区画壁構造が記載されている。また、前記シートの上端部及び下端部には、中空筒状部が形成され、アリ溝状装着凹部からのシートの脱落を防止するため、この中空筒状部に前記アリ溝状装着凹部の開口部よりも直径が大きな芯材が挿入されている。しかし、上部レールにシートを装着するためには、シートに中空筒状部を設け、芯材を挿入してアリ溝状装着凹部に装着する必要があり、シートの装着が容易でない。
【０００５】
特開２００８−２２０５０８号公報（特許文献３）には、天井に配したシート取付レールと、このシート取付レールに上縁領域を把持されて吊下げられた繊維強化樹脂シートと、この繊維強化樹脂シートの下縁領域に取り付けられた化粧レールと、前記繊維強化樹脂シートの両端を保持する一対の端部保持具とを備える防煙垂れ壁が記載されている。前記シート取付レールは、レール本体及びカバー部材を備え、レール本体の本体側係止爪とカバー部材のカバー側係止爪とを互いに係止させ、本体側把持面及びカバー側把持面で前記シートの上縁領域を把持している。また、カバー部材には、カバー側把持面の背後を押すための押しボルトを設けてあり、前記シートの上縁領域をはさみ付ける把持面の押圧力を調整でき、しわの無い状態で把持できること、前記ボルトは長手方向に適当な間隔をあけて複数個設けられていることも記載されている。さらに、この文献には、この防煙垂れ壁の施工方法が記載され、天井にねじ止めされたレール本体の把持面に繊維強化樹脂シートが位置するように両側を端部保持具で固定した状態で、レール本体にカバー部材を取り付けることが記載されている。すなわち、レール本体にカバー部材を係止させてシートを挟持するため、把持面にシートの上縁領域を合わせた状態で、天井に固定されたレール本体にカバー部材を取り付ける必要があり、シートを簡単に装着できない。また、確実にシートを把持（挟持）するためにはボルトを締めて把持面の挟持力を高める工程も必要とする。
【０００６】
また、これらの文献に記載のレール（シート取付部材）の構造は複雑である。
【先行技術文献】
【特許文献】
【０００７】
【特許文献１】特開２００８−２２０４５３号公報（特許請求の範囲、段落［０００５］［００１０］）
【特許文献２】特開２０１３−８１７４７号公報（特許請求の範囲、段落［００４０］［００４１］）
【特許文献３】特開２００８−２２０５０８号公報（特許請求の範囲、［００１０］［００１３］［００２０］）
【発明の概要】
【発明が解決しようとする課題】
【０００８】
従って、本発明の目的は、比較的簡単な構造で、シートを簡便かつ容易に装着可能なシート取付部材、このシート取付部材を用いたシート取付構造及びこのシート取付構造を形成可能な組立セット並びにシート取付方法を提供することにある。
【０００９】
本発明の他の目的は、簡単な操作で確実かつ有効にシートを挟持（又は装着）でき、シートの離脱を防止できるシート取付部材、シート取付構造及び組立セット並びにシート取付方法を提供することにある。
【課題を解決するための手段】
【００１０】
本発明者は、前記課題を達成するため鋭意検討した結果、シート挿入口に向かって狭まる傾斜内壁で収容部を形成し、この収容部内に上下動可能に棒体を収容して、前記シート挿入口からシートを挿入すると、棒体の上下動を利用して、シートを棒体と内壁とで容易に装着又は挟着できることを見いだし、本発明を完成した。
【００１１】
すなわち、本発明のシート取付部材は、長尺な板状保持部と、この板状保持部から下方に延出してスリット状のシート挿入口を形成する一対の延出部とを備えており、壁部に直接又は間接的に取付可能である。前記一対の延出部の内壁は、前記シート挿入口に向かって狭まる収容部を形成する傾斜内壁を含んでおり、この収容部には、棒体を上下動及び／又は転動可能に収容可能である。
【００１２】
このようなシート取付部材では、シート挿入口からシートを挿入すると、棒体が前記傾斜内壁に沿って上昇（又は転動）し、棒体と延出部の内壁との隙間に沿ってシートが進入する。そして、所定長さ挿入した後、シートを解放し、挿入操作を解除すると、前記棒体が自重により下降（又は転動）し、棒体と延出部の内壁とでシートを挟持できる。
【００１３】
また、前記傾斜内壁は、湾曲又は直線的に傾斜し、少なくとも棒体（又は棒体の一部）を支持可能に形成されていてもよい。例えば、一対の延出部のうち、第２の延出部は、第１の延出部の方向に膨出しつつ湾曲した傾斜内壁を備えていてもよい。この湾曲した傾斜内壁の曲率半径は、板状保持部（又は上方）に向かって（又はシート挿入口から板状保持部の方向にいくにつれて）、曲率半径を小さく形成してもよい。さらに、前記シート取付部材は、一対の延出部のうち、第１の延出部の先端部から下方に延び、かつシートの挿入を案内するためのガイド部を備えていてもよい。
【００１４】
前記棒体は、断面形状が円形状であってもよい。また、棒体はコイルバネで形成することもできる。さらに、前記シートは、挿入口側の端部（挿入端）に係止部を備えていてもよい。
【００１５】
また、本発明は、前記シート取付部材と、前記シート取付部材の収容部に収容された棒体と、この棒体と延出部の内壁との間に装着されたシートとを備えたシート取付構造；及びこのシート取付構造を形成可能な組立セットを包含する。さらに、本発明では、シート取付部材を直接又は間接的に壁部に取付け、前記棒体を収容部に収容した状態でシート挿入口からシートを挿入し、シートを解放し、挿入操作を解除するシート取付方法も含む。
【発明の効果】
【００１６】
本発明のシート取付部材は、収容部内での棒体の転動及び／又は上下動を利用して、棒体と延出部の内壁とでシートを挟持できるため、比較的簡単な構造で、シートを簡便に装着できる。また、一対の延出部のうち、第２の延出部が、第１の延出部の方向に膨出しつつ湾曲する傾斜内壁を形成すると、挿入されたシートを下方に引っ張っても、棒体が締め付け方向に移動又は転動するため、締め付け力がより有効に作用し、シートの脱離を防止できる。さらに、端部に係止部を備えたシートを用いると、棒体に対して係止部を確実に係合でき、シートの脱離をより有効かつ確実に防止できる。
【図面の簡単な説明】
【００１７】
【図１】図１は、本発明のシート取付部材を含む組立セット及びシート取付構造の一例を示す概略斜視図である。
【図２】図２は、上部壁に取り付けた状態の図１のシート取付構造を示す概略断面図である。
【図３】図３は、本発明のシート取付部材を含む組立セット及びシート取付構造の他の例を示す概略斜視図である。
【図４】図４は、上部壁に取り付けた状態の図３のシート取付構造の概略断面図である。
【図５】図５は、側部壁に取り付けた状態の図３のシート取付部材の概略断面図である。
【図６】図６（Ａ）〜（Ｄ）は、本発明のシート取付部材のさらに他の例を示す概略断面図である。
【発明を実施するための形態】
【００１８】
図１及び図２に示すシート取付部材を含む組立セット及びシート取付構造は、上部壁に直接取り付け可能なシート取付部材１と、このシート取付部材１から所定間隔をおいて対向して延び、スリット状のシート挿入口５を形成する一対の延出部３，４と、この一対の延出部のうちシート挿入口５よりも上方に形成された収容部６と、この収容部内に収容可能なコイルバネで形成された棒体８と、この棒体８をシート取付部材１の収容部６内に収容した状態で、前記棒体８に係合可能な係止部９１を有し、かつ前記シート挿入口５から挿入可能なシート９とを備えている。
【００１９】
長尺なシート取付部材１は、長尺な板状保持部２と、この板状保持部２の端部から側方に延出し、上部壁１０に取付可能な上部壁取付部２１と、前記板状保持部２の一方の端部から垂下する第１の延出部３と、この第１の延出部３に所定間隔おいて対向し、前記板状保持部２の他方の端部から延出する第２の延出部４とを備えており、前記第１の延出部３と前記第２の延出部４とは、先端部において、スリット状に開口するシート挿入口５を形成している。前記第２の延出部４は、シート挿入口５の方向にいくにつれて第１の延出部３との間隔が狭まっている。
【００２０】
なお、上部壁取付部２１には、ネジ部材７などの螺合部材の位置決めを容易にするため、溝状の位置決め部２２が形成されている。また、前記第１の延出部３の先端部は、第２の延出部４の先端部よりも若干下方に延出してガイド部３１を形成しており、シートをこのガイド部３１の内壁に沿って案内し、シート挿入口５からのシート９の挿入を円滑にしている。
【００２１】
前記第２の延出部４は、前記板状取付部２から直線的に垂下して延出する直線状延出部４１と、この直線状延出部４１から第１の延出部３の方向に膨出しつつ、内壁が同じ曲率半径（又は湾曲度）で緩やかに湾曲する湾曲傾斜延出部４２とを備えており、この湾曲傾斜延出部４２の先端部には膨出した断面玉状の玉状部４３が形成されている。このような湾曲傾斜延出部４２の湾曲内壁（前記第２の延出部４の内壁）により、前記第１の延出部３の内壁との間隔が、シート挿入口５の方向にいくにつれて次第に狭まり、シート挿入口５では棒体８の直径よりも狭く（又は小さく）なっている。すなわち、前記シート挿入口５に連通する上部空間には、第１の延出部３の内壁と前記湾曲傾斜延出部４２の傾斜内壁とで、棒体８を収容可能な前記収容部６が形成され、この収容部６の内壁（第１の延出部３の内壁及び湾曲傾斜延出部４２の傾斜内壁）で棒体８を支持可能であるとともに、収容部６内に収容された棒体８は、収容部６の内壁（第１の延出部３の内壁、特に湾曲傾斜延出部４２の傾斜内壁）に沿って上下動（又は転動）可能である。なお、図１に示すように、棒体８は、シート取付部材１の側部から前記収容部６に挿入して収容できる。さらに、収容部６からの棒体８の脱落を防止するため、第１の延出部３と第２の延出部４との両側部（長手方向の側部開口部）には、側部開口部を閉塞するための側壁（図示せず）が取り付けられている。
【００２２】
前記棒体８は、前記収容部６内に比較的大きな遊び空間をもって収容されるため、シート挿入口５の比較的近くに位置している（図２）。前記棒体８はコイルバネで形成されている。そのため、長手方向（長軸方向）のみならず直径（又は短軸）方向にも変形（又は曲折）自在であるとともに、長軸方向の任意の部位で独立して変形可能である。さらに、コイルバネが断面円形状の形態を有するため、転動及び／又は上下動が容易である。なお、この例では、シート取付部材１の長手方向の長さと同程度の長さを有する棒体８が収容部６内に収容されている。
【００２３】
前記シート９の係止部９１は、図１に示すように、シート挿入口側の端部を折り返して（又は折り畳んで）厚肉状（一方の側に膨出した形状）に形成されている。なお、シートの幅は、シート取付部材１の長手方向の長さと同程度である。
【００２４】
このようなシート取付部材１を用いると、シート９を円滑かつ容易にしかも強固に取り付けることができる。すなわち、位置決め部２２を利用してネジ部材７で、上部壁１０に上部壁取付部２１を取り付ける前又は後で、前記シート取付部材１の側部から収容部６内に棒体８を挿入し、前記収容部６に棒体８が収容された状態で、前記ガイド部３１の内壁に沿って、シート挿入口５から、シート９の係止部９１を挿入すると、係止部９１との接触により棒体８が湾曲傾斜延出部４２の傾斜内壁に沿って上方向に移動（又は転動）し、棒体８と第１の延出部３の内壁との隙間に沿ってシート９が進入できる。このシート９の挿入操作において、コイルバネの棒体８は比較的緩やかに湾曲した傾斜内壁に沿って上下動又は転動するため、前記上下動（又は転動）による棒体８の偏位（又は変位）が比較的小さくても、シート９を円滑に挿入可能である。そして、係止部９１が棒体８に係合可能な位置にまでシート９を挿入した後、挿入操作を解除してシート９を解放すると、前記棒体８が自重により降下（又は転動）し、棒体８と第１の延出部３の内壁とで、シート９を挟持できる。特に、棒体８がコイルバネで形成されているため、長手方向の全領域においてコイルバネのコイルが、弾性変形可能な形態で、シート９の係止部９１と緊密に接触し、シート９に下方への力が作用しても、コイルバネが変位して棒体８が第１の延出部３の内壁にシート９を締め付ける方向に締め付け力を作用させる。そのため、シート９の脱離を有効に防止できる。しかも、シート９の係止部９１が棒体８と係合（又は係止）するため、シート９の脱離をより有効に防止できる。
【００２５】
なお、棒体８が、長軸方向及び直径（又は短軸）方向に、長軸方向の任意の部位で独立して変形自在な前記コイルバネで形成されているため、シート挿入口５に対してシート９の係止部９１を斜め向きに挿入しても、棒体８のコイルが係止部９１の形態に対応して弾性変形する。そのため、シート挿入口５に対して、シート９を任意の方向から挿入しても、シート９を取付部材１に取り付け又は装着可能である。なお、装着状態のシート９をシート挿入口５から収容部６の深部方向に急激に奥部まで進入させ、かつ急激に引き取る（棒体８が収容部６内で浮遊した状態で急激に引き取る）こと或いは挿入片を有する脱着具（例えば、ヘラなど）をシート挿入口５から進入させ、棒体８を持ち上げた状態で、長軸方向に移動させることにより、シート取付部材１からシート９を脱着できる。
【００２６】
前記の例では、シート取付部材を壁部に直接的に取り付けているが、シート取付部材は、壁部に対して間接的に取り付けてもよい。
【００２７】
図３及び図４に示す例では、シート取付部材１ａは、壁取付ユニット１１を介して、上部壁１０ａに間接的に取り付け可能である。シート取付部材１ａは、長尺な前記板状保持部２ａの両端部からそれぞれ突出する突出係合部２３ａ及び突出挟持部２４ａと、前記突出係合部２３ａ側の台形状溝部を介して板状保持部２ａの端部から垂下する第１の延出部３ａと、前記突出挟持部２４ａ側の板状保持部２ａの端部から延出する第２の延出部４ａを備えている。この例では、シート９ａをスリット状シート挿入口５ａからより円滑に挿入するため、前記第１の延出部３ａは、前記図１に示す第１の延出部３よりも長く形成され、第２の延出部４ａよりも下方の領域は、長いガイド部３１ａを形成しており、このガイド部３１ａの内壁のうち縦方向の中央部には、溝状の位置決め部３２ａが形成されている。
【００２８】
一方、第２の延出部４ａは、図１に示す直線状延出部４１に代えて、板状保持部２ａの端部から、厚肉部を経て、第１の延出部３ａに近づく方向に傾斜して延びる傾斜延出部４１ａが形成され、第２の延出部４ａの先端部に玉状部を有さないこと以外、図１に示す第２の延出部４と同様に形成されており、前記第１の延出部３ａと第２の延出部４ａとは、中空部８１ａを有する断面円形状の棒体８ａが収容可能な収容部６ａと、この収容部に連なり、先端部で開口するシート挿入口５ａを形成している。
【００２９】
前記壁取付ユニット１１は、ネジ部材７ａなどで上部壁１０ａに対して取り付け可能な上部壁取付部１２と、この上部壁取付部１２の一方の端部に屈曲又は湾曲して形成され、前記突出係合部２３ａと係合可能な屈曲係合部１３と、前記上部壁取付部１２の他方の端部から斜め下方向に屈曲して横方向に延びる締結部１４と、突出挟持部２４ａを上部壁取付部１２の他方の端部内壁で挟持可能な挟持プレート１５と、この挟持プレート１５を前記締結部１４に回動可能に締結するためのネジ部材１６とを備えており、ネジ部材１６を中心として挟持プレート１５を回動させ、上部壁取付部１２の端部内壁と挟持プレート１５とで突出挟持部２４ａを挟持している。なお、上部壁取付部１２のうちネジ部材７ａの螺合部位は、座繰り加工され、ネジ部材７ａの頭部が突出するのを防止している。
【００３０】
このような壁取付ユニット１１では、ネジ部材７ａなどで上部壁取付部１２を上部壁１０ａに取り付け、屈曲係合部１３に突出係合部２３ａを係合させ、ネジ部材１６を中心として挟持プレート１５を回動させて突出挟持部２４ａを挟着することにより、シート取付部材１ａを容易に壁面に取り付けることができる。その際、突出挟持部２４ａの下部壁面が、外部側方にいくにつれて上方に傾斜した傾斜壁を有しているため、挟持プレート１５の回動に伴って、突出挟持部２４ａに対する挟着力を高めることができる。また、シート取付部材１ａに対しては、図１に示すシート取付部材１と同様の方法により、シート９ａを装着できる。
【００３１】
なお、前記シート取付部材１ａでは、突出係合部２３ａの延出度が小さいため、図５に示すように、ガイド部３１ａの溝状の位置決め部３２ａを利用してネジ部材７ａにより、側部壁１７ａに直接取り付けることができ、前記ガイド部３１ａは、側部壁取付部として機能させることもできる。そのため、シート取付部材１ａの取り付け位置に応じて、上部壁１０ａ又は側部壁１７ａに取り付けることができる。さらに、棒体８ａが断面円形状の中空筒体で形成されているため、収容部６ａ内で上下動（又は転動）しやすく、係止部９１ａを有していてもシート９ａを容易に挿入できるとともに、棒体８ａの上下動（又は転動）を利用してシート９ａを第１の延出部３ａ又は第２の延出部４ａの内壁で挟持できる。
【００３２】
なお、収容部の形態も含めてシート取付部材の形態は特に制限されず、種々の形態が採用できる。図６（Ａ）〜（Ｄ）は、本発明のシート取付部材の他の例を示す概略断面図である。
【００３３】
図６（Ａ）に示すシート取付部材１ｂは、第２の延出部４ｂの形態を除き、図１に示すシート取付部材１と同様の形態を有している。すなわち、板状保持部２の端部から垂下する直線状延出部４１ｂが、図１に示すシート取付部材１の直線状延出部４１よりも下方に延出するとともに、この直線状延出部４１ｂから延びる湾曲傾斜延出部４２ｂが、第１の延出部３に対して、シート挿入口５ｂから板状保持部２の方向にいくにつれて、湾曲度が大きくなる形態（曲率半径が小さくなる形態）で緩やかに湾曲している。このような形態では、棒体の上下方向の変位量（又は転動量）が小さくても、棒体と湾曲傾斜延出部４２ｂとの隙間を大きくできる。そのため、上下動（又は転動）による棒体の偏位（又は変位）が小さくても、シートを挿入できるとともに、シートの下降変位が小さくてもシートを確実に挟着できる。
【００３４】
図６（Ｂ）に示すシート取付部材１ｃは、長尺な板状保持部２ｃと、この板状保持部２ｃの端部から垂下する第１の延出部３ｃと、この第１の延出部３ｃの軸線に沿って、上方（第１の延出部３の逆方向）に延出し、溝状の位置決め部２２ｃが形成された側部壁取付部２５ｃと、前記板状保持部２ｃの他方の端部から、前記第１の延出部３ｃと対向して延びる第２の延出部４ｃとを備えており、前記第１の延出部３ｃの先端部は第２の延出部４ｃよりも下方に延びてガイド部３１ｃを形成し、このガイド部３１ｃには、溝状の位置決め部３２ｃが形成されている。また、第２の延出部４ｃは、直線状に垂下する直線状延出部４１ｃと、この直線状延出部４１ｃからシート挿入口５ｃに向かって直線的に傾斜する直線傾斜延出部４２ｃとを有している。
【００３５】
このような形態のシート取付部材１ｃでは、第１の延出部３ｃの内壁と直線傾斜延出部４２ｃの傾斜内壁とで棒体を支持でき、収容部６ｃ内では、前記直線傾斜延出部４２ｃの傾斜内壁に沿って棒体が上下動（又は転動）可能である。そのため、図１に示すシート取付部材１と同様に、第１の延出部３ｃ又は第２の延出部４ｃの内壁と棒体とでシートを挟持できる。さらに、シート取付部材１ｃの配設位置に応じて、上方に延びる側部壁取付部２５ｃ及び／又は下方に延びるガイド部３１ｃの位置決め部２２ｃ，３２ｃを利用して側部壁に取付可能である。
【００３６】
図６（Ｃ）に示すシート取付部材１ｄは、図３に示すシート取付部材１ａと同様に、板状保持部２ａ、突出係合部２３ａ及び突出挟持部２４ａと、前記板状保持部２ａの端部から垂下する第１の延出部３ｄと、この第１の延出部３ｄに対向して、シート挿入口５ｄに向かって直線的に傾斜する直線傾斜延出部（第２の延出部）４ｄとを備えている。なお、図３に示すシート取付部材１ａと異なり、突出係合部２３ａは、第１の延出部３ｄの外壁（又はガイド部３１ｄの外壁）よりも外側に延出又は突出しており、壁取付ユニットの屈曲係合部との係合強度を高めている。また、第１の延出部３ｄ及び第２の延出部４ｄの基部を厚肉に形成し、補強している。
【００３７】
図６（Ｄ）に示すシート取付部材１ｅは、図６（Ｃ）に示すシート取付部材１ｄと同様の直線傾斜延出部（第２の延出部）４ｄを有する点を除き、図３に示すシート取付部材１ａと同様の形態を有している。このような形態でも、前記と同様に、上部壁及び／又は側部壁にシート取付部材１ｅを取り付けることができるとともに、第１の延出部３ａと第２の延出部（直線傾斜延出部）４ｄとで形成される収容部６ｅ内に棒体を収容することにより、シートを着脱可能に装着できる。
【００３８】
なお、シート取付部材は壁部に対して取り付け可能であればよく、取付部材の取付部は、板状保持部及び／又は延出部から延出又は突出させて形成してもよい。例えば、壁部に直接取り付ける場合には、固定具（例えば、ネジ部材、釘など）などを使用して、板状保持部及び／又は延出部から延出する延出壁（延出取付壁）を壁部に直接取り付けてもよく、第１及び／又は第２の延出部から延出するガイド部を壁部に直接取り付けてもよい（図２、図５、図６（Ｂ）など）。また、上部壁、側部壁や傾斜壁に壁取付ユニットを取り付け、この壁取付ユニットに対してシート取付部材を取り付けてもよい。壁取付ユニットとシート取付部材との取付構造は、前記係合又は係止構造、挟着構造に制限されず、嵌合構造などであってもよい。上部壁に取り付ける場合、シート取付部材は、壁取付ユニットの被係合部（屈曲係合部１３など）に対して係合可能な係合部（突出係合部２３ａなど）と、壁取付ユニットの被圧着部（締結部１４など）に対して挟持部材（挟持プレート１５など）で挟持可能な挟持部とを有する場合が多い。
【００３９】
長尺な板状保持部から下方に延出する一対の延出部の内壁は、スリット状のシート挿入口を形成するとともに、シート挿入口に向かって狭まる収容部を形成する。このような一対の延出部において、第２の延出部の内壁（又は第２の延出部の少なくとも一部の内壁）が、湾曲又は直線的に傾斜し、かつ第１の延出部の内壁が垂下していてもよく、一対の延出部の内壁（又は一対の延出部の少なくとも一部の内壁）の双方が、湾曲又は直線的に傾斜していてもよい。なお、第２の延出部の内壁（又は第２の延出部の一部の内壁）は、湾曲又は直線的に傾斜している場合が多い。また、延出部の内壁（又は延出部の一部の内壁）が湾曲している場合、第２の延出部の内壁（又は第２の延出部の一部の内壁）は、第１の延出部の方向と逆方向に膨出しつつ湾曲していてもよいが、通常、第２の延出部の内壁（又は第２の延出部の一部の内壁）が、第１の延出部の方向に膨出しつつ湾曲している場合が多い。
【００４０】
延出部の湾曲傾斜内壁は、大きな湾曲度で湾曲していてもよいが、比較的緩やかに湾曲する場合が多い。なお、曲率半径が小さすぎる（又は湾曲度が大きすぎる）と、棒体を挟持する力（挟持力）が低下する虞があり、逆に曲率半径が大きすぎても（又は湾曲度が小さすぎても）、上下方向の棒体の偏位（又は変位）が大きくなり、シートが脱落する虞がある。また、傾斜内壁の湾曲度は、図１〜図６（Ｂ）（Ｃ）（Ｄ）に示すように、同じ曲率半径（又は湾曲度）であってもよく、図６（Ａ）に示すように、シート挿入口から板状保持部にいくにつれて異なる曲率半径（又は湾曲度）で湾曲していてもよい。なお、内壁の曲率半径が異なって湾曲している場合、シート挿入口から板状保持部にいくにつれて、傾斜内壁の曲率半径を大きく形成してもよいが、通常、図６（Ａ）に示すように、傾斜内壁の曲率半径を小さく形成する場合が多い。
【００４１】
スリット状シート挿入口は、延出部の先端部で形成する必要はなく、延出部の長手方向の途中部でシート挿入口を形成してもよい。例えば、一方の直線状に延びる延出部に対して、他方の延出部が湾曲し、この湾曲部の頂部が直線状延出部に対峙してシート挿入口を形成し、このシート挿入口から湾曲傾斜延出部が拡がって湾曲していてもよい。また、双方の延出部が湾曲し、これらの湾曲部の頂部が互いに所定の間隔をおいて対峙してシート挿入口を形成していてもよい。さらには、シート挿入口からは末広がり状に直線状の延出部を形成してもよい。このような形態では、必ずしもガイドは必要ではない。
【００４２】
一対の延出部の内壁（少なくとも傾斜内壁を含む内壁）は収容部内で少なくとも棒体を支持又は保持可能である。棒体は、一対の延出部の内壁に対して、点接触、線接触又は所定の細幅で面接触可能（好ましい態様では、一対の延出部の内壁と点又は線接触可能）であってもよい。なお、一対の延出部で形成される収容部の両側開口部には、収容部内に棒体を保持可能な形態、例えば、収容部の少なくとも両側開口部の下部に、棒体の脱落を防止するための規制手段（側壁、網状体など）を配設してもよい。また、この規制壁は、例えば、開閉式（例えば、第１の延出部の長手方向の両側部に、ヒンジ式に取り付けられた規制壁）であってもよい。
【００４３】
延出部は、シートの挿入に伴って傾斜内壁に沿って棒体が転動及び／又は上下動可能であり、シート挿入口に向かって狭まる収容部を形成できればよい。この収容部は、先細状の断面Ｖ字状、Ｕ字状などの形態であってもよく、直線状に延びる内壁及び／又は湾曲状内壁で形成できる。収容部（又は延出部）の内壁は、棒体に対する受け部を有していてもよく粗面であってもよいが、棒体を一対の延出部の内壁と前記形態で接触させて上下動及び／又は転動させるため、収容部の内壁は平滑である場合が多い。
【００４４】
シートの挿入を案内するためのガイド部は、必ずしも必要ではなく、延出部の先端部、好ましくは垂下する延出部から下方に延出していてもよい。ガイド部の長さは、シートの挿入を妨げない限り、特に制限されない。なお、前記のように、ガイド部を取付部として機能させ、固定具を用いて、壁部（例えば、側部壁）に直接取付可能であってもよい。
【００４５】
なお、前記の例では、シート取付部材（上部壁取付部、ガイド部など）にはネジ部材の位置決め部として溝状の位置決め部を形成しているが、位置決め部は、必ずしも必要ではない。また、シート取付部材のうちネジ部材の螺合部位は、ネジ部材の頭部の突出を防止するため、座繰り加工していてもよい。
【００４６】
棒体は、前記収容部内に上下動及び／又は転動可能に収容されていればよく、棒体の断面形状は、例えば、楕円形、多角形（例えば、六角形など）などであってもよく、通常、延出部の内壁と線接触して上下動（又は転動）可能な円形である場合が多い。このような断面円形状の棒体は、転動を伴って上下動が容易であり、シートを装着及び脱着することができる。また、棒体は、中実又は中空であってもよい。さらに、断面円形の棒体の周面に凹凸部を形成してもよい。なお、断面円形状の棒体とは、外周が円形状である棒体を意味し、コイルが形成する輪状（リング状）の断面を有するコイル状の棒体も包含する。
【００４７】
棒体の材質は、硬質｛例えば、金属（例えば、アルミニウム、鉄、銅など）、前記金属の合金［例えば、鋼（又はスチール）（例えば、ステンレス鋼など）など］、合成樹脂（又はプラスチック）など｝、軟質［例えば、エラストマー（例えば、ゴムなど）など］であってもよい。なお、硬質な材質の棒状体に軟質な材質をコーティングした棒体であってもよい。また、硬質な材質で形成された棒体である場合、シートの挿入は容易であるが、棒体の任意箇所に作用した力が棒体全体に作用するため、シートが脱着する場合がある。一方、軟質な材質（例えば、ゴムなど）で形成された棒体である場合、シートは挿入しにくいが、応力に応じて変形するため、一旦装着されると脱着しにくい。しかし、軟質であっても、シート挿入口から脱着具（例えば、ヘラなど）を進入させ、棒体を持ち上げた状態で長軸方向に移動させると簡単に脱着できる。なお、硬質であっても、断面円形状又は中空筒状の硬質な１又は複数の細幅体を、長軸方向及び／又は半径方向に変形又は伸縮可能な形態で、連続して又は隣接して接続すると、シートの挿入が容易であるとともに、シートが脱着しにくく、かつ脱着具を用いて、簡単にシートを取り外し可能な棒体を形成できる。このような棒体としては、例えば、硬質で断面円形状又は中空筒状の細幅の複数の関節部材を、長軸方向に曲折自在に連設した棒体、１つの硬質の線状体で形成されたコイル状の棒体（例えば、コイルバネ、コイル状プラスチックなどのらせん状中空棒状体など）などが例示できる。特に、コイル状の棒体を用いると、長軸方向の任意の部位でコイル部が独立して変形可能であり、かつ延出部の内壁と点又は線接触して上下動（又は転動）可能であるため、シートの挿入性又は挟着性をさらに高めることができるとともに、所定部の箇所がシートの進入により持ち上げられても、隣接する他のコイル部でシートを押えることができるため、シートの脱着を防止できる。また、コイル状の棒体は、摩擦抵抗が低いため、シート挿入口に進入した脱着具（例えば、ヘラなど）を長軸方向に移動させやすく、シートの取り外しも容易である。なお、変形（又は曲折）自在な棒体（例えば、コイル状の棒体）では、シート挿入口からシートの一部を挿入しても容易かつ確実に装着できるとともに、横幅の大きなシートや、シート挿入口に沿って複数のシートを並列に順次に挿入しても容易かつ確実に装着できる。そのため、シート取付部材の用途を拡大できる。
【００４８】
棒体の脱着方法は、例えば、シートを装着（又は挟着）した状態で、棒体を持ち上げる方法であってもよい。また、変形自在な棒体である場合、挿入片を有する脱着具（例えば、ヘラなど）を挿入口に進入させ、棒体を持ち上げて、長軸方向に移動させてもよい。
【００４９】
なお、棒体の長さはシート取付部材の長軸方向の長さ及びシートの幅に応じて適宜選択でき、シート取付部材の長軸方向の長さに対して、例えば、０．５倍〜１．２倍、好ましくは０．８倍〜１倍程度であってもよい。また、棒体の直径は、挿入口の間隔に対して、例えば、１．１〜２倍、好ましくは１．２〜１．５倍程度であってもよい。
【００５０】
シートの材質は、用途に応じて選択でき、例えば、布帛、プラスチック、紙、金属などであってもよく、繊維強化などにより強化されていてもよい。例えば、のれん、カーテンなどの用途に利用する場合には、布帛などのシートを使用する場合が多く、防煙壁などの用途に利用する場合には、難燃性又は不燃性シートなどの繊維強化合成樹脂シートを使用する場合が多い。なお、挿入操作を円滑にするため、シートの挿入領域は硬質であってもよい。
【００５１】
延出部の内壁と棒体とでシートを挟持できるため、シートの挿入口側の端部には、係止部（又は係合部）を形成する必要はないが、シートの脱離を確実に防止するため、シートの端部に係止部（又は係合部）を形成するのが好ましい。係止部（又は係合部）の形状は、特に制限されず、シート本体の厚みよりも厚肉であればよく、係合部の断面形状は、例えば、円形、楕円形、長方形、台形、矢じり状又は矢印状などであってもよい。なお、係合部はシートの一方の側に膨出又は突出した形態で形成する場合が多く、例えば、シートの挿入口側の端部を折り返して（又は折り畳んで）厚肉状（断面形状が一方の側に膨出した長方形など）に成形してもよい。シートの縦幅及び横幅は、用途に応じて適宜選択できる。
【００５２】
本発明のシート取付部材は、壁部に取り付けた状態であっても、容易（又は簡便）にシートを装着できるだけでなく、収容部内で棒体を内壁から離反させることによりシートを簡単に取り外すこともできる。
【産業上の利用可能性】
【００５３】
本発明のシート取付部材は、壁（例えば、上部壁、側部壁など）に取付け、シートの装着を簡単に行うことができるため、様々な用途、例えば、日除け、間仕切りなどに利用するのれん及びカーテン、シート（防煙壁のシートなど）、電車内の吊り広告（中吊り広告）の印刷物などを取り付けるのに有用である。特に、シートの着脱を容易に行えるため、電車内の吊り広告の印刷物などの取付部材、展示用のカーテン、のれんなどの取付部材として有用性が高い。また、病院で利用されるシャウカステンにおいて、レントゲン写真などを挟着するシート取付部材として利用することもできる。
【符号の説明】
【００５４】
１，１ａ，１ｂ，１ｃ，１ｄ，１ｅ…シート取付部材
２，２ａ，２ｃ…板状保持部
３，３ａ，３ｃ，３ｄ，４，４ａ，４ｂ，４ｃ…延出部
３１，３１ａ，３１ｃ…ガイド部
４１，４１ｂ，４１ｃ…直線状延出部
４１ａ…傾斜延出部
４２，４２ａ，４２ｂ…湾曲傾斜延出部
４ｄ，４２ｃ…直線傾斜延出部
５，５ａ，５ｃ，５ｄ，５ｅ…シート挿入口
６，６ａ，６ｂ，６ｃ，６ｄ，６ｅ…収容部
８，８ａ…棒体
９，９ａ…シート
９１，９１ａ…係止部
１０，１０ａ…上部壁
１７ａ…側部壁
【図１】
2016089338.tif 000003
【図２】
2016089338.tif 000004
【図３】
2016089338.tif 000005
【図４】
2016089338.tif 000006
【図５】
2016089338.tif 000007
【図６】
2016089338.tif 000008